(57)【要約】【課題】発信元の相手先に応じた言語で音声出力を行うことにより、受信元の利用者が表示部を見ることなく相手先を確実に認識すること。【解決手段】コードレス電話親機１０は、相手先の電話番号と相手先の名前とを対応付けて登録テーブル上に記憶している記憶部１０２と、受信した相手先の電話番号に基づいて相手先の名前を記憶部１０２から読み出す読み出し部１１２１と、読み出した相手先の名前に対応する言語を選択する言語選択部１１２２と、読み出した相手先の名前を、選択された言語による音声データに変換して出力する音声データ生成部１１２３と、を具備する。【選択図】図２
2017069788.tif 000002
【特許請求の範囲】
【請求項１】
相手先の電話番号と相手先の名前とを対応付けて登録テーブル上に記憶している記憶部と、
受信した相手先の電話番号に基づいて相手先の名前を前記記憶部から読み出す読み出し部と、
読み出された相手先の名前に対応する言語を選択する言語選択部と、
前記読み出された相手先の名前を、前記選択された言語による音声データに変換して出力する音声データ生成部と、
を具備する電話装置。
【請求項２】
前記記憶部は、相手先の電話番号、相手先の名前および管理情報を対応付けた第１登録テーブルと、管理情報と言語とを対応付けた第２登録テーブルと、を記憶し、
前記言語選択部は、読み出された相手先の名前に対応する管理情報と対応付けられた言語を選択する、
請求項１に記載の電話装置。
【請求項３】
前記記憶部は、複数の名前が言語毎に登録されている各言語名前テーブルを記憶し、
前記言語選択部は、読み出された相手先の名前が含まれる言語を選択する、
請求項１に記載の電話装置。
【請求項４】
前記記憶部は、各言語に特有の文字と言語とを対応付けた各言語文字テーブルを記憶し、
前記言語選択部は、読み出された相手先の名前に、各言語文字テーブルの特有の文字が含まれているか否かに基づいて言語を選択する、
請求項１に記載の電話装置。
【発明の詳細な説明】
【技術分野】
【０００１】
本発明は、着信時に発信者の名前を音声出力する機能を有する電話装置に関する。
【背景技術】
【０００２】
従来、着信時に発信者の電話番号情報を電話装置の表示部に表示するナンバーズディスプレイと呼ばれるサービスが提供されている。このサービスによれば、受話器を取る前に発信者を確認できるため便利である。一方、かかるサービスでは、発信者を確認するためには表示内容を目で見る必要があり、着信時に電話装置から離れている場合、即座に発信者を確認できないという課題がある。
【０００３】
これに対して、特許文献１は、発信者の情報を提示する電話装置に関し、着信時に発信者の電話番号情報を取得した場合、取得した電話番号情報に基づいて、予め登録しておいた電話番号と名前及び敬称との関係を参照して、対応する名前及び敬称を音声出力する構成を開示している。
【先行技術文献】
【特許文献】
【０００４】
【特許文献１】特開２００２−２１８０４４号公報
【発明の概要】
【発明が解決しようとする課題】
【０００５】
しかしながら、特許文献１には、音声出力可能な言語は１言語であるため、例えば発信者が外国人である場合に、その外国人が国籍を有する国独自の発音で名前を音声出力することができず、着信側の利用者が発信者を認識し難いという課題がある。
【０００６】
本発明の目的は、発信者に応じた発音で音声出力を行うことにより、着信側の利用者が表示部を見ることなく発信者を確実に認識することができる電話装置を提供することである。
【課題を解決するための手段】
【０００７】
本発明に係る電話装置は、相手先の電話番号と相手先の名前とを対応付けて登録テーブル上に記憶している記憶部と、受信した相手先の電話番号に基づいて相手先の名前を前記記憶部から読み出す読み出し部と、読み出された相手先の名前に対応する言語を選択する言語選択部と、前記読み出された相手先の名前を、前記選択された言語による音声データに変換して出力する音声データ生成部と、を具備する構成を採る。
【発明の効果】
【０００８】
本発明によれば、発信者に応じた発音で音声出力を行うことにより、着信側の利用者が表示部を見ることなく発信者を確実に認識することができる。
【図面の簡単な説明】
【０００９】
【図１】本発明の実施の形態１に係る電話システムの構成を示すブロック図
【図２】本発明の実施の形態１に係るコードレス電話親機の構成を示すブロック図
【図３】本発明の実施の形態１に係る登録テーブルの一例を示す図
【図４】本発明の実施の形態１に係る各言語名前テーブルを示す図
【図５】本発明の実施の形態１に係るコードレス電話子機の構成を示すブロック図
【図６】本発明の実施の形態１に係るコードレス電話親機の動作を示すシーケンス図
【図７】本発明の実施の形態１に係る登録テーブル設定処理を示すフロー図
【図８】本発明の実施の形態１に係る音声案内処理を示すフロー図
【図９】本発明の実施の形態２に係る登録テーブルの一例を示す図
【図１０】本発明の実施の形態２に係る音声案内処理を示すフロー図
【図１１】本発明の実施の形態３に係る登録テーブルの一例を示す図
【図１２】本発明の実施の形態３に係る音声案内処理を示すフロー図
【発明を実施するための形態】
【００１０】
以下、図面を適宜参照して、本発明の一実施の形態につき、詳細に説明する。
【００１１】
（実施の形態１）
＜電話システムの構成＞
図１は、本発明の実施の形態１に係る電話システム１の構成を示すブロック図である。図１に示すように、電話システム１は、コードレス電話親機１０と、固定電話２０と、コードレス電話子機３０と、を有している。なお、図１では、電話システム１が、２台のコードレス電話子機３０−１、３０−２を有している場合を例示しているが、本実施の形態では、コードレス電話子機３０の台数に制限はない。
【００１２】
コードレス電話親機１０は、固定電話網を介して固定電話２０に接続することができる。コードレス電話親機１０は、宅内の各コードレス電話子機３０に無線で接続することができる。
【００１３】
固定電話２０は、宅外又は他の宅内に設けられ、固定電話網を介してコードレス電話親機１０に接続することができる。
【００１４】
各コードレス電話子機３０は、コードレス電話親機１０と無線で接続することができ、コードレス電話親機１０及び固定電話網を介して固定電話２０と接続することができる。各コードレス電話子機３０は、典型的には無線通信方式であるＤＥＣＴ（Digital Enhanced Cordless Telecommunications）方式によりコードレス電話親機１０と通信を行う。
【００１５】
＜コードレス電話親機の構成＞
次に、本実施の形態に係るコードレス電話親機１０の構成につき、図２を参照しながら、以下に詳細に説明する。
【００１６】
電話装置であるコードレス電話親機１０は、固定電話回線Ｉ／Ｆ部１０１と、記憶部１０２と、操作部１０３と、表示部１０４と、ＣＤＬプロトコル制御部１０５と、ＣＤＬ無線Ｉ／Ｆ部１０６と、マイク１０７と、スピーカー１０８と、音声入出力部１０９と、留守番電話制御部１１０と、ＴＴＳ（Text To Speech）処理部１１１と、制御部１１２と、を有している。
【００１７】
固定電話回線Ｉ／Ｆ部１０１は、発信時又は着信時に固定電話網に接続し、着信時において発信者の電話番号情報を固定電話網から受信して制御部１１２に出力する。
【００１８】
記憶部１０２は、各種設定データ、電話帳データ、発着信履歴情報及びＳＭＳメッセージ等の情報を記憶している。特に、本実施の形態では、記憶部１０２は、図３（ａ）に示すように、相手先の電話番号、相手先の名称（名前）および管理情報を対応付けた第１登録テーブルを記憶していると共に、図３（ｂ）に示すように、管理情報と言語とを対応付けた第２登録テーブルを記憶している。さらに、記憶部１０２は、図４に示すように、複数の名前が言語毎に登録されている各言語名前テーブルを記憶する場合がある。
【００１９】
操作部１０３は、ユーザーが操作するダイヤル及び各種機能ボタンから構成されている。操作部１０３は、ユーザーの操作に応じた電気信号を制御部１１２に出力する。
【００２０】
表示部１０４は、制御部１１２の制御に従って各種情報を表示する。表示部１０４は、ここではＬＣＤ（Liquid Crystal Display）を例示する。
【００２１】
ＣＤＬプロトコル制御部１０５は、各コードレス電話子機３０との間で音声データを送受信するために必要な所定のプロトコルに従った制御を行う。
【００２２】
ＣＤＬ無線Ｉ／Ｆ部１０６は、制御部１１２から入力した送信信号に対して周波数変換等の無線処理を施して無線信号を生成し、生成した無線信号を各コードレス電話子機３０に無線送信する。また、ＣＤＬ無線Ｉ／Ｆ部１０６は、各コードレス電話子機３０から無線で受信した無線信号に対して周波数変換等の無線処理を施して受信信号を生成し、生成した受信信号を制御部１１２に出力する。
【００２３】
マイク１０７は、周囲の音声等を集音する。スピーカー１０８は、音声入出力部１０９からの音声データの音声を出力する。
【００２４】
音声入出力部１０９は、マイク１０７で集音した音声を音声データに変換して制御部１１２に出力する。音声入出力部１０９は、制御部１１２から入力した音声データを音声としてスピーカー１０８から出力させる。
【００２５】
留守番電話制御部１１０は、留守番電話メッセージを記憶し、制御部１１２の制御に従ってメッセージの録音及び再生を行う。
【００２６】
ＴＴＳ処理部１１１は、制御部１１２の読み出し部１１２１から入力した名前情報と、制御部１１２の言語選択部１１２２から入力した言語情報と、に基づいて、言語情報の言語のＴＴＳ言語データを生成する。ＴＴＳ処理部１１１は、生成したＴＴＳ言語データを制御部１１２（音声データ生成部１１２３）に出力する。ここで、ＴＴＳ言語データは、ＴＴＳ形式で作成される発話用の音声データである。
【００２７】
制御部１１２は、操作部１０３から入力する電気信号に応じて、上記の各部を制御する。また、制御部１１２は、ＣＤＬ無線Ｉ／Ｆ部１０６から入力した受信信号に対して、ＣＤＬプロトコル制御部１０５の制御に従った所定のプロトコル処理を実行して音声データを取得し、取得した音声データを音声入出力部１０９に出力する。また、制御部１１２は、音声入出力部１０９から取得した出力音声データに対して、ＣＤＬプロトコル制御部１０５の制御に従った所定のプロトコル処理を実行して送信信号を生成し、生成した送信信号をＣＤＬ無線Ｉ／Ｆ部１０６に出力する。
【００２８】
また、制御部１１２は、本発明に係る機能として、読み出し部１１２１と、言語選択部１１２２と、音声データ生成部１１２３と、を有している。
【００２９】
読み出し部１１２１は、記憶部１０２の第１登録テーブルを参照して、固定電話回線Ｉ／Ｆ部１０１から入力した発信者の電話番号情報に対応する相手先の名前及び管理情報を読み出す。例えば、相手先の電話番号情報が１２４−２２２−１２３４の場合、読み出し部１１２１は、図３（ａ）の第１登録テーブルを参照して、１２４−２２２−１２３４の電話番号情報に対応付けられている登録１の相手先の名前Adrian Gutierrez及び管理情報０２を読み出す。そして、読み出し部１１２１は、読み出した名前の名前情報をＴＴＳ処理部１１１に出力し、管理情報を言語選択部１１２２に出力する。
【００３０】
言語選択部１１２２は、記憶部１０２の第２登録テーブルを参照して、読み出し部１１２１から入力した管理情報に対応する言語を選択する。例えば、管理情報が０２の場合、制御部１１２の言語選択部１１２２は、図３（ｂ）の第２登録テーブルを参照して、管理情報０２に対応付けられているスペイン語を選択する。そして、言語選択部１１２２は、選択した言語の言語情報をＴＴＳ処理部１１１に出力する。
【００３１】
音声データ生成部１１２３は、ＴＴＳ処理部１１１から入力したＴＴＳ言語データを、言語選択部１１２２で選択した言語の発音で音声出力するための音声データに変換する。音声データ生成部１１２３から出力された音声データは、音声入出力部１０９を介してスピーカー１０８から音声として出力される。また、音声データ生成部１１２３から出力された音声データは、ＣＤＬ無線Ｉ／Ｆ部１０６を介してコードレス電話子機３０に送信され、コードレス電話子機３０のスピーカー３０７（図５参照）から音声として出力される。
【００３２】
＜コードレス電話子機の構成＞
本発明の実施の形態１に係るコードレス電話子機３０の構成につき、図５を参照しながら、以下に詳細に説明する。
【００３３】
コードレス電話子機３０は、記憶部３０１と、操作部３０２と、表示部３０３と、ＣＤＬプロトコル制御部３０４と、ＣＤＬ無線Ｉ／Ｆ部３０５と、マイク３０６と、スピーカー３０７と、音声入出力部３０８と、充電池３０９と、制御部３１０と、を有している。
【００３４】
記憶部３０１は、各種設定データ、発信履歴等の情報を記憶している。
【００３５】
操作部３０２は、ユーザーが操作するダイヤル及び各種機能ボタンから構成されている。操作部３０２は、ユーザーの操作に応じた電気信号を制御部３１０に出力する。
【００３６】
表示部３０３は、制御部３１０の制御に従って各種情報を表示する。表示部３０３は、ここではＬＣＤを例示する。なお、操作部３０２及び表示部３０３は、タッチパネルで構成されていてもよい。
【００３７】
ＣＤＬプロトコル制御部３０４は、コードレス電話親機１０との間で音声データを送受信するために必要な所定のプロトコルに従った制御を行う。
【００３８】
ＣＤＬ無線Ｉ／Ｆ部３０５は、コードレス電話親機１０から受信した無線信号に対して周波数変換等の無線処理を施して受信信号を生成し、生成した受信信号を制御部３１０に出力する。また、ＣＤＬ無線Ｉ／Ｆ部３０５は、制御部３１０から入力した送信信号に対して周波数変換等の無線処理を施して無線信号を生成し、生成した無線信号をコードレス電話親機１０に無線送信する。
【００３９】
マイク３０６は、周囲の音声等を集音する。スピーカー３０７は、音声入出力部３０８からの音声データの音声を出力する。
【００４０】
音声入出力部３０８は、マイク３０６で集音した音声を音声データに変換して制御部３１０に出力する。音声入出力部３０８は、制御部３１０から入力した音声データを音声としてスピーカー３０７から出力させる。
【００４１】
充電池３０９は、繰り返し充電可能な二次電池であり、コードレス電話子機３０の電源である。
【００４２】
制御部３１０は、操作部３０２から入力する電気信号に応じて、上記の各部を制御する。制御部３１０は、音声入出力部３０８から入力した音声データに対して、ＣＤＬプロトコル制御部３０４の制御に従った所定のプロトコル処理を実行して送信信号を生成し、生成した送信信号をＣＤＬ無線Ｉ／Ｆ部３０５に出力する。また、制御部３１０は、ＣＤＬ無線Ｉ／Ｆ部３０５から入力した受信信号に対して、ＤＬプロトコル制御部３０４の制御に従った所定のプロトコル処理を実行して音声データを取得し、取得した音声データを音声入出力部３０８に出力する。
【００４３】
＜コードレス電話親機の動作＞
本発明の実施の形態１に係るコードレス電話親機１０の動作につき、図６を参照しながら、以下に詳細に説明する。
【００４４】
まず、固定電話回線Ｉ／Ｆ部１０１は、発信者から着信があった場合に、着信を通知する着信通知メッセージを制御部１１２に出力する（Ｓ１）。
【００４５】
次に、制御部１１２は、相手先の電話番号情報の通知を要求するCaller ID受信要求メッセージを、固定電話回線Ｉ／Ｆ部１０１に出力する（Ｓ２）。
【００４６】
次に、固定電話回線Ｉ／Ｆ部１０１は、相手先の電話番号情報を含むCaller ID通知メッセージを制御部１１２に出力する（Ｓ３）。
【００４７】
次に、制御部１１２は、記憶部１０２の登録テーブルを参照して、相手先の電話番号情報に対応する相手先の名前を読み出すと共に言語を選択する。
【００４８】
制御部１１２は、読み出し部１１２１で読み出した相手先の名前の情報、および、言語選択部１１２２で選択した言語の情報を含む発音データ通知メッセージをＴＴＳ処理部１１１に出力する（Ｓ４）。
【００４９】
次に、ＴＴＳ処理部１１１は、相手先の名前を制御部１１２の言語選択部１１２２で選択した言語のＴＴＳ言語データに変換し、変換したＴＴＳ言語データを含む発音データ通知メッセージを制御部１１２に出力する（Ｓ５）。
【００５０】
次に、制御部１１２は、相手先の電話番号及び宛先の情報を含む表示要求メッセージを表示部１０４に出力する（Ｓ６）。
【００５１】
次に、制御部１１２の音声データ生成部１１２３は、ＴＴＳ言語データを、言語選択部１１２２で選択した言語の発音で音声出力するための音声データに変換し、変換した音声データを音声入出力部１０９に出力する（Ｓ７）。これにより、音声入出力部１０９は、制御部１１２で選択した言語の相手先の名前の音声をスピーカー１０８より出力させる。
【００５２】
次に、制御部１１２は、読み出し部１１２１で読み出した相手先の名前を、言語選択部１１２２で選択した言語にした音声データを含む送信信号を、ＣＤＬ無線Ｉ／Ｆ部１０６に出力する（Ｓ８）。
【００５３】
次に、ＣＤＬ無線Ｉ／Ｆ部１０６は、コードレス電話子機３０を呼び出し鳴動させて、上記の音声データを含む無線信号であるＴＴＳ発音メッセージを、コードレス電話子機３０に無線送信する（Ｓ９）。これにより、コードレス電話子機３０は、上記の音声データに基づいた発音で発信者の名前を音声出力する。
【００５４】
次に、コードレス電話子機３０は、発信者の名前の音声出力を聞いたユーザーによる操作により、コードレス電話親機１０との通話が可能な状態になり、接続要求メッセージをＣＤＬ無線Ｉ／Ｆ部１０６に無線で送信する（Ｓ１０）。
【００５５】
次に、ＣＤＬ無線Ｉ／Ｆ部１０６は、受信した接続要求メッセージを制御部１１２に出力する（Ｓ１１）。
【００５６】
次に、制御部１１２は、接続要求メッセージを固定電話回線Ｉ／Ｆ部１０１を介して（Ｓ１２）、固定電話２０に転送する。これにより、固定電話２０とコードレス電話子機３０との間で通話が開始される。
【００５７】
＜登録テーブル設定処理＞
本発明の実施の形態１に係る登録テーブル設定処理につき、図７を参照しながら、以下に詳細に説明する。
【００５８】
登録テーブル設定処理は、コードレス電話親機１０の操作部１０３に対して所定の操作がなされることにより開始される。
【００５９】
まず、コードレス電話親機１０は、操作部１０３により名前が入力される（Ｓ２１）。
【００６０】
次に、制御部１１２は、入力された名前が操作部１０３の操作により確定したか否かを判定する（Ｓ２２）。
【００６１】
制御部１１２は、入力された名前が確定した場合（Ｓ２２：ＹＥＳ）、発音する言語を手動で切り替える手動切替モードが操作部１０３の操作により選択されたか否かを判定する（Ｓ２３）。なお、制御部１１２は、入力された名前が確定していない場合（Ｓ２２：ＮＯ）、フローはＳ２１に戻る。
【００６２】
手動切替モードが選択されない場合（Ｓ２３：ＮＯ）、制御部１１２は、名前種別設定モードに移行する（Ｓ２４）。
【００６３】
次に、制御部１１２は、操作部１０３の操作により自動種別設定が選択されたか否かを判定する（Ｓ２５）。
【００６４】
自動種別設定が選択された場合（Ｓ２５：ＹＥＳ）、制御部１１２は、操作部１０３により文字判別方式が選択されたか否かを判定する（Ｓ２６）。
【００６５】
文字判別方式が選択された場合（Ｓ２６：ＹＥＳ）、制御部１１２は、文字判別方式により登録テーブルを設定することを決定する（Ｓ２７）。
【００６６】
次に、制御部１１２は、入力された名前にスペイン語特有の文字が含まれているか否かを判定する判定処理を実行する（Ｓ２８）。
【００６７】
次に、制御部１１２は、判定処理の結果、スペイン語特有の文字が含まれているか否かを判定する（Ｓ２９）。
【００６８】
スペイン語特有の文字が含まれている場合（Ｓ２９：ＹＥＳ）、フローはＳ３６に進む。一方、スペイン語特有の文字が含まれていない場合（Ｓ２９：ＮＯ）、フローはＳ３７に進む。
【００６９】
また、Ｓ２６において、文字判定方式が選択されない場合（Ｓ２６：ＮＯ）、制御部１１２は、テーブル判定方式により登録テーブルを設定することを決定する（Ｓ３０）。
【００７０】
次に、制御部１１２は、入力された名前と各言語名前テーブル（図４参照）とを照合する照合処理を実行する（Ｓ３１）。
【００７１】
制御部１１２は、入力された名前が各言語名前テーブルのスペイン語テーブルに含まれているか否かを判定する（Ｓ３２）。
【００７２】
入力された名前がスペイン語テーブルに含まれている場合（Ｓ３２：ＹＥＳ）、フローは、Ｓ３６に進む。一方、入力された名前がスペイン語テーブルに含まれていない場合（Ｓ３２：ＮＯ）、フローは、Ｓ３７に進む。
【００７３】
また、Ｓ２５において、自動種別設定が選択されない場合（Ｓ２５：ＮＯ）、制御部１１２は、名前種別方式により登録テーブルを設定することを決定する（Ｓ３３）。
【００７４】
次に、制御部１１２は、入力された名前に該当する言語として、操作部１０３の操作によりスペイン語が選択されたか否かを判定する（Ｓ３４）。
【００７５】
スペイン語が選択された場合（Ｓ３４：ＹＥＳ）、フローは、Ｓ３６に進む。一方、スペイン語が選択されない場合（Ｓ３４：ＮＯ）、フローは、Ｓ３７に進む。
【００７６】
また、Ｓ２３において、制御部１１２は、手動切替モードが選択された場合（Ｓ２３：ＹＥＳ）、操作部１０３の操作により発音言語としてスペイン語がユーザーにより選択されたか否かを判定する（Ｓ３５）。
【００７７】
発音言語としてスペイン語が選択された場合（Ｓ３５：ＹＥＳ）、フローは、Ｓ３６に進む。一方、発音言語としてスペイン語が選択されない場合（Ｓ３５：ＮＯ）、フローは、Ｓ３７に進む。
【００７８】
Ｓ３６において、制御部１１２は、管理情報０２を設定するスペイン語種別登録処理を実行する。一方、Ｓ３７において、制御部１１２は、管理情報０１を設定する米語種別登録処理を実行する。
【００７９】
Ｓ３６あるいはＳ３７の後、制御部１１２は、操作部１０３の操作により設定された電話番号を、名前及び管理情報に対応付けて第１登録テーブルに設定する（Ｓ３８）。
【００８０】
なお、上記の登録テーブル設定処理は、名前を入力する毎に実行される。
【００８１】
＜音声案内処理＞
本発明の実施の形態１に係る音声案内処理につき、図８を参照しながら、以下に詳細に説明する。
【００８２】
まず、制御部１１２は、着信があったか否かを判定する（Ｓ４１）。着信があった場合（Ｓ４１：ＹＥＳ）、制御部１１２は、相手先の電話番号情報を取得して、記憶部１０２に記憶されている登録テーブルの電話番号を検索する（Ｓ４２）。なお、着信がない場合（Ｓ４１：ＮＯ）、フローはＳ４１に戻る。
【００８３】
次に、制御部１１２は、相手先の電話番号情報の電話番号に一致する電話番号が登録テーブルに有るか否かを判定する（Ｓ４３）。
【００８４】
一致する電話番号が登録テーブルに無い場合（Ｓ４３：ＮＯ）、制御部１１２は、発信者（相手先）の電話番号を音声により出力する（Ｓ４４）。
【００８５】
一方、一致する電話番号が登録テーブルに有る場合（Ｓ４３：ＹＥＳ）、制御部１１２は、登録テーブルにおいて一致する電話番号に対応付けられている管理情報が０１であるか否かを判定する（Ｓ４５）。
【００８６】
管理情報が０１である場合（Ｓ４５：ＹＥＳ）、制御部１１２は、米語であると判定し（Ｓ４６）、名前の発音言語として米語を設定する（Ｓ４７）。その後、コードレス電話親機１０は、設定された言語の名前を音声で出力する（Ｓ４８）。
【００８７】
一方、制御部１１２は、管理情報が０１でない場合（Ｓ４５：ＮＯ）、管理情報が０２であるか否かを判定する（Ｓ４９）。
【００８８】
管理情報が０２である場合（Ｓ４９：ＹＥＳ）、制御部１１２は、スペイン語であると判定し（Ｓ５０）、名前の発音言語としてスペイン語を設定する（Ｓ５１）。その後、コードレス電話親機１０は、設定された言語の名前を音声で出力する（Ｓ４８）。
【００８９】
一方、管理情報が０２でない場合（Ｓ４９：ＮＯ）、制御部１１２は、無効であると判定し（Ｓ５２）、名前の発音言語として米語を設定する（Ｓ５３）。その後、コードレス電話親機１０は、設定された言語の名前を音声で出力する（Ｓ４８）。
【００９０】
以上のように、本実施の形態によれば、受信した相手先の電話番号に基づいて相手先の名前を読み出す読み出し部１１２１と、読み出した相手先の名前に対応する言語を選択する言語選択部１１２２と、読み出した相手先の名前を、選択された言語による音声データに変換して出力する音声データ生成部１１２３と、を具備する。これにより、発信者に応じた発音で音声出力を行うことができるので、着信側の利用者が表示部を見ることなく発信者を確実に認識することができる。
【００９１】
（実施の形態２）
次に、本発明の実施の形態２について説明する。なお、実施の形態２は、実施の形態１と、電話システムの構成（図１）、コードレス電話親機の構成（図２）、コードレス電話子機の構成（図５）、コードレス電話親機の動作（図６）が共通する。
【００９２】
なお、本実施の形態において、記憶部１０２は、図３（ａ）に示した第１登録テーブルおよび図３（ｂ）に示した第２登録テーブルの代わりに、図９に示すように、相手先の電話番号と相手先の名前とを対応付けた第３登録テーブルを記憶している。また、記憶部１０２は、図４に示した各言語名前テーブルを記憶している。
【００９３】
読み出し部１１２１は、第３登録テーブルを参照して、固定電話回線Ｉ／Ｆ部１０１から入力した発信者の電話番号情報に対応する相手先の名前及び管理情報を読み出し、読み出した名前の名前情報をＴＴＳ処理部１１１および管理情報を言語選択部１１２２に出力する。
【００９４】
言語選択部１１２２は、各言語名前テーブルを参照して、読み出し部１１２１から入力した名前情報が含まれる言語を選択する。
【００９５】
＜音声案内処理＞
以下、本実施の形態に係る音声案内処理につき、図１０を参照しながら、以下に詳細に説明する。なお、図１０において、図８と同一動作である部分については同一符号を付して、その説明を省略する。図１０のフローは、図８のフローと比較して、Ｓ４５の代わりにＳ６１が行われ、Ｓ４９の代わりにＳ６２が行われる。
【００９６】
制御部１１２は、Ｓ４３の処理において、一致する電話番号が図９に示す登録テーブルに有る場合（Ｓ４３：ＹＥＳ）、図９の登録テーブルにおいて一致する電話番号に対応付けられている名前が図４に示す米語テーブルに有るか否かを判定する（Ｓ６１）。
【００９７】
制御部１１２は、名前が図４に示す米語テーブルに有る場合（Ｓ６１：ＹＥＳ）、米語であると判定し（Ｓ４６）、名前の発音言語として米語を設定する（Ｓ４７）。
【００９８】
一方、制御部１１２は、名前が図４に示す米語テーブルに無い場合（Ｓ６１：ＮＯ）、名前が図４に示すスペイン語テーブルにあるか否かを判定する（Ｓ６２）。
【００９９】
制御部１１２は、名前が図４に示すスペイン語テーブルに有る場合（Ｓ６２：ＹＥＳ）、スペイン語であると判定し（Ｓ５０）、名前の発音言語としてスペイン語を設定する（Ｓ５１）。その後、コードレス電話親機１０は、設定された言語の名前を音声で出力する（Ｓ４８）。
【０１００】
一方、制御部１１２は、名前が図４に示すスペイン語テーブルに無い場合（Ｓ６２：ＮＯ）、無効であると判定し（Ｓ５２）、名前の発音言語として米語を設定する（Ｓ５３）。その後、コードレス電話親機１０は、設定された言語の名前を音声で出力する（Ｓ４８）。
【０１０１】
以上のように、本実施の形態によれば、実施の形態１と同様に、発信者に応じた発音で音声出力を行うことができるので、着信側の利用者が表示部を見ることなく発信者を確実に認識することができる。
【０１０２】
（実施の形態３）
次に、本発明の実施の形態３について説明する。なお、実施の形態３は、実施の形態１と、電話システムの構成（図１）、コードレス電話親機の構成（図２）、コードレス電話子機の構成（図５）、コードレス電話親機の動作（図６）が共通する。
【０１０３】
なお、本実施の形態において、記憶部１０２は、図３（ａ）に示した第１登録テーブルおよび図３（ｂ）に示した第２登録テーブルの代わりに、図９に示した第３登録テーブルと、図１１に示すように、各言語に特有の文字と言語とを対応付けた各言語文字テーブルを記憶している。
【０１０４】
読み出し部１１２１は、第３登録テーブルを参照して、固定電話回線Ｉ／Ｆ部１０１から入力した発信者の電話番号情報に対応する相手先の名前及び管理情報を読み出し、読み出した名前の名前情報をＴＴＳ処理部１１１および管理情報を言語選択部１１２２に出力する。
【０１０５】
言語選択部１１２２は、各言語文字テーブルを参照して、読み出し部１１２１から入力した名前情報の中に、各言語文字テーブルの特有の文字が含まれているか否かにより言語を選択する。
【０１０６】
＜音声案内処理＞
以下、本実施の形態に係る音声案内処理につき、図１２を参照しながら、以下に詳細に説明する。
【０１０７】
まず、制御部１１２は、着信があったか否かを判定する（Ｓ７１）。
【０１０８】
制御部１１２は、着信がない場合（Ｓ７１：ＮＯ）、Ｓ７１の処理を繰り返す。
【０１０９】
一方、制御部１１２は、着信があった場合（Ｓ７１：ＹＥＳ）、相手先の電話番号情報を取得して、記憶部１０２に記憶されている登録テーブルの電話番号を検索する（Ｓ７２）。
【０１１０】
次に、制御部１１２は、相手先の電話番号情報の電話番号に一致する電話番号が、第３登録テーブルに有るか否かを判定する（Ｓ７３）。
【０１１１】
制御部１１２は、一致する電話番号が第３登録テーブルに無い場合（Ｓ７３：ＮＯ）、発信者（相手先）の電話番号を音声により出力する（Ｓ７４）。
【０１１２】
一方、制御部１１２は、一致する電話番号が第３登録テーブルに有る場合（Ｓ７３：ＹＥＳ）、第３登録テーブルにおいて一致する電話番号に対応付けられている名前を読み出して、読み出した名前に、各言語文字テーブルの特有の文字が含まれているか否かを判定する（Ｓ７５）。
【０１１３】
制御部１１２は、各言語文字テーブルの特有の文字が含まれている場合（Ｓ７５：ＹＥＳ）、スペイン語であると判定し（Ｓ７６）、名前の発音言語としてスペイン語を設定する（Ｓ７７）。
【０１１４】
次に、コードレス電話親機１０は、設定された言語の名前を音声で出力する（Ｓ７８）。
【０１１５】
一方、制御部１１２は、各言語文字テーブルの特有の文字が含まれていない場合（Ｓ７５：ＮＯ）、名前の発音言語として米語を設定する（Ｓ７９）。その後、コードレス電話親機１０は、設定された言語の名前を音声で出力する（Ｓ７８）。
【０１１６】
以上のように、本実施の形態によれば、実施の形態１と同様に、発信者に応じた発音で音声出力を行うことができるので、着信側の利用者が表示部を見ることなく発信者を確実に認識することができる。
【０１１７】
なお、本発明は、部材の種類、配置、個数等は前述の実施の形態に限定されるものではなく、その構成要素を同等の作用効果を奏するものに適宜置換する等、発明の要旨を逸脱しない範囲で適宜変更することができる。
【０１１８】
具体的には、上記実施の形態１から実施の形態３において、発音言語として米語及びスペイン語の２カ国語から選択したが、発音言語として米語及びスペイン語以外の２カ国語から選択してもよいし、３カ国語以上の言語から選択してもよい。
【産業上の利用可能性】
【０１１９】
本発明は、着信時に発信者の名前を音声出力する機能を有する電話装置に用いるに好適である。
【符号の説明】
【０１２０】
１  電話システム
１０  コードレス電話親機
２０  固定電話
３０  コードレス電話子機
１０１  固定電話回線Ｉ／Ｆ部
１０２、３０１  記憶部
１０３、３０２  操作部
１０４、３０３  表示部
１０５、３０４  ＣＤＬプロトコル制御部
１０６、３０５  ＣＤＬ無線Ｉ／Ｆ部
１０７、３０６  マイク
１０８、３０７  スピーカー
１０９、３０８  音声入出力部
１１０  留守番電話制御部
１１１  ＴＴＳ処理部
１１２、３１０  制御部
３０９  充電池
１１２１  読み出し部
１１２２  言語選択部
１１２３  音声データ生成部
【図１】
2017069788.tif 000003
【図２】
2017069788.tif 000004
【図３】
2017069788.tif 000005
【図４】
2017069788.tif 000006
【図５】
2017069788.tif 000007
【図６】
2017069788.tif 000008
【図７】
2017069788.tif 000009
【図８】
2017069788.tif 000010
【図９】
2017069788.tif 000011
【図１０】
2017069788.tif 000012
【図１１】
2017069788.tif 000013
【図１２】
2017069788.tif 000014